(57)【要約】【課題】簡易な処理によって基板に対する部品の搭載有無を高精度に検査すること。【解決手段】基板の搭載面に対する部品の搭載前後を撮像した部品の搭載前画像と搭載後画像から部品の搭載有無を検査する検査装置（６０）が、搭載前画像と搭載後画像から差分画像を生成する差分画像生成部（６２）と、差分画像から差分画素を内包する差分領域を抽出する差分領域抽出部（６３）と、差分領域の領域サイズと部品サイズからノイズ成分を判別するノイズ判別部（６４）と、ノイズ成分と判別された差分領域を差分画像から除去するノイズ除去部（６５）と、ノイズ成分を除去した差分画像に基づいて部品の有無を判定する判定部（６７）とを備える構成にした。【選択図】図４
2018207023.tif 000002
【特許請求の範囲】
【請求項１】
基板の搭載面に対する部品の搭載前後を撮像した前記部品の搭載前画像と搭載後画像から前記部品の搭載有無を検査する検査装置であって、
前記搭載前画像と前記搭載後画像から差分画像を生成する差分画像生成部と、
前記差分画像から差分画素を内包する差分領域を抽出する差分領域抽出部と、
前記差分領域の領域サイズと部品サイズからノイズ成分を判別するノイズ判別部と、
前記ノイズ成分と判別された差分領域を前記差分画像から除去するノイズ除去部と、
前記ノイズ成分を除去した前記差分画像に基づいて前記部品の有無を判定する判定部とを備えたことを特徴とする検査装置。
【請求項２】
前記ノイズ判別部は、前記部品の縦寸法又は横寸法よりも差分領域の縦寸法又は横寸法が大きければノイズ成分と判別することを特徴とする請求項１に記載の検査装置。
【請求項３】
前記ノイズ判別部は、差分領域の面積が許容範囲外の場合には、縦寸法及び横寸法を比較することなく差分領域をノイズ成分と判別することを特徴とする請求項２に記載の検査装置。
【請求項４】
前記差分画像には複数の差分領域が含まれており、
前記差分領域抽出部は、前記複数の差分領域の間隔が所定画素数内であれば同じ差分領域として抽出し、前記複数の差分領域の間隔が所定画素数よりも大きければ別々の差分領域として抽出することを特徴とする請求項１から請求項３のいずれかに記載の検査装置。
【請求項５】
前記差分領域抽出部は、前記差分画像に膨張処理及び収縮処理を実施して、前記複数の差分領域の間隔が所定画素以内であれば、前記複数の差分領域を結合して１つの差分領域として抽出することを特徴とする請求項４に記載の検査装置。
【請求項６】
請求項１から請求項５のいずれかに記載の検査装置と、
前記搭載面に対して前記部品を搭載する実装ヘッドと、
前記実装ヘッドによる部品の搭載前後を撮像する撮像装置とを備えたことを特徴とする実装装置。
【請求項７】
基板の搭載面に対する部品の搭載前後を撮像した前記部品の搭載前画像と搭載後画像から前記部品の搭載有無を検査する検査方法であって、
前記搭載前画像と前記搭載後画像から差分画像を生成するステップと、
前記差分画像から差分画素を内包する差分領域を抽出するステップと、
前記差分領域の領域サイズと部品サイズからノイズ成分を判別するステップと、
前記ノイズ成分と判別された差分領域を前記差分画像から除去するステップと、
前記ノイズ成分を除去した前記差分画像に基づいて前記部品の有無を判定するステップとを有することを特徴とする検査方法。
【発明の詳細な説明】
【技術分野】
【０００１】
本発明は、基板に対する部品の搭載有無を検査する検査装置、実装装置、検査方法に関する。
【背景技術】
【０００２】
実装装置として、実装ヘッドに搭載された撮像装置を用いて、基板に対する部品の搭載有無を検査する検査装置を備えたものが知られている（例えば、特許文献１参照）。特許文献１に記載の検査装置では、基板に対する搭載面を部品の搭載前後で撮像して、搭載前画像と搭載後画像との差分画像を求めることで、基板の搭載領域に部品が搭載されているか否かが検査される。このような搭載前後の差分画像を利用した検査では、部品以外の箇所の差分が影響を与える場合がある。このため、通常は部品の周辺ノイズを除去するために差分画像に対してノイズカットが施されている。
【先行技術文献】
【特許文献】
【０００３】
【特許文献１】特開２０１４−１１０３３５号公報
【発明の概要】
【発明が解決しようとする課題】
【０００４】
ところで、部品の搭載前画像と搭載後画像を撮像する際には、撮像時のブレ等によって部品以外の箇所でも少なからず、差分がある。部品のサイズが大きい場合は、その影響は少ないが、近年、部品のサイズは微小化の傾向にある。部品のサイズが小さい場合は、その影響は相対的に大きくなる。例えば、０６０８、０４０２（部品の横サイズ０．４ｍｍ、縦サイズ０．２ｍｍ）等の微細チップ部品については、差分画像の全体に対して部品による差分の割合が小さく、差分有無のしきい値も小さくなってしまう。このため、部品以外の差分でしきい値を超えてしまい、基板の載置面に部品が搭載されていないにも関わらず、部品が搭載されていると誤判定される可能性があった。
【０００５】
本発明はかかる点に鑑みてなされたものであり、簡易な処理により、基板に対する部品の搭載有無を高精度に検査することができる検査装置、実装装置、検査方法を提供することを目的の１つとする。
【課題を解決するための手段】
【０００６】
本発明の一態様の検査装置は、基板の搭載面に対する部品の搭載前後を撮像した前記部品の搭載前画像と搭載後画像から前記部品の搭載有無を検査する検査装置であって、前記搭載前画像と前記搭載後画像から差分画像を生成する差分画像生成部と、前記差分画像から差分画素を内包する差分領域を抽出する差分領域抽出部と、前記差分領域の領域サイズと部品サイズからノイズ成分を判別するノイズ判別部と、前記ノイズ成分と判別された差分領域を前記差分画像から除去するノイズ除去部と、前記ノイズ成分を除去した前記差分画像に基づいて前記部品の有無を判定する判定部とを備えたことを特徴とする。
【０００７】
本発明の一態様の検査方法は、基板の搭載面に対する部品の搭載前後を撮像した前記部品の搭載前画像と搭載後画像から前記部品の搭載有無を検査する検査方法であって、前記搭載前画像と前記搭載後画像から差分画像を生成するステップと、前記差分画像から差分画素を内包する差分領域を抽出するステップと、前記差分領域の領域サイズと部品サイズからノイズ成分を判別するステップと、前記ノイズ成分と判別された差分領域を前記差分画像から除去するステップと、前記ノイズ成分を除去した前記差分画像に基づいて前記部品の有無を判定するステップとを有することを特徴とする。
【０００８】
これらの構成によれば、差分領域の領域サイズが部品サイズと比較されることで、差分画像に含まれる差分領域が部品による差分か部品以外のノイズ成分かが判別される。そして、差分画像からノイズ成分を除くことで、部品による差分領域だけが差分画像に残される。よって、部品以外のノイズ成分の影響を受けることなく、基板に対する部品の搭載有無を高精度に検査することができる。
【０００９】
本発明の一態様の検査装置において、前記ノイズ判別部は、前記部品の縦寸法又は横寸法よりも差分領域の縦寸法又は横寸法が大きければノイズ成分と判別する。この構成によれば、部品と差分領域の縦寸法同士、横寸法同士を比較することで、差分領域が部品による差分か部品以外のノイズ成分かを判別することができる。
【００１０】
本発明の一態様の検査装置において、前記ノイズ判別部は、差分領域の面積が許容範囲外の場合には、縦寸法及び横寸法を比較することなく差分領域をノイズ成分と判別する。この構成によれば、差分領域が極端に大きなものや極端に小さなものについては、差分領域をノイズ成分と見做すことで判別処理の負荷を軽減することができる。
【００１１】
本発明の一態様の検査装置において、前記差分画像には複数の差分領域が含まれており、前記差分領域抽出部は、前記複数の差分領域の間隔が所定画素数内であれば同じ差分領域として抽出し、前記複数の差分領域の間隔が所定画素数よりも大きければ別々の差分領域として抽出する。この構成によれば、本来なら同じ部分が複数の差分領域に分かれて差分画像に現れる場合であっても、複数の差分領域を１つの差分領域として抽出することができる。よって、複数に分かれた差分領域を１つにまとめることで、差分領域が部品による差分であるのか、部品以外のノイズ成分であるのかを精度よく判別することができる。
【００１２】
本発明の一態様の検査装置において、前記差分領域抽出部は、前記差分画像に膨張処理及び収縮処理を実施して、前記複数の差分領域の間隔が所定画素以内であれば、前記複数の差分領域を結合して１つの差分領域として抽出する。この構成によれば、簡易な処理によって、領域同士が近い複数の差分画像を１つの差分画像にまとめることができる。
【００１３】
本発明の一態様の実装装置は、上記の検査装置と、前記搭載面に対して前記部品を搭載する実装ヘッドと、前記実装ヘッドによる部品の搭載前後を撮像する撮像装置とを備えたことを特徴とする。この構成によれば、像装置によって実装ヘッドによる部品の搭載前後の実装面が撮像され、搭載前画像と搭載後画像から実装ヘッドによる部品の搭載ミスを即座に検出することができる。
【発明の効果】
【００１４】
本発明によれば、差分領域の領域サイズから、差分画像に含まれる差分領域が部品による差分か部品以外のノイズ成分かを判別することで、差分画像からノイズ成分を除いて基板に対する部品の搭載有無を高精度に検査することができる。
【図面の簡単な説明】
【００１５】
【図１】本実施の形態の実装装置全体を示す模式図である。
【図２】本実施の形態の実装ヘッド周辺を示す模式図である。
【図３】比較例の部品の差分画像の一例を示す図である。
【図４】本実施の形態の検査装置のブロック図である。
【図５】本実施の形態の検査処理の一例を示すフローチャートである。
【図６】本実施の形態の部品の搭載前画像及び搭載後画像の一例を示す図である。
【図７】本実施の形態の差分画像の一例を示す図である。
【図８】本実施の形態の判定処理の一例を示す図である。
【図９】本実施の形態の差分領域の抽出処理の一例を示す図である。
【図１０】本実施の形態のノイズ成分の判別処理の一例を示す図である。
【図１１】本実施の形態のノイズ成分の除去処理の一例を示す図である。
【発明を実施するための形態】
【００１６】
以下、添付図面を参照して本実施の形態の実装装置について説明する。図１は、本実施の形態の実装装置全体を示す模式図である。図２は、本実施の形態の実装ヘッド周辺を示す模式図である。図３は、比較例の部品の差分画像の一例を示す図である。なお、本実施の形態の実装装置は一例に過ぎず、適宜変更が可能である。
【００１７】
図１に示すように、実装装置１は、フィーダ２０から供給された部品Ｐ（図２参照）を、一対の実装ヘッド４０によって基板Ｗの載置面に搭載するように構成されている。基板Ｗの表面には配線パターンや電極パッド等が設けられており、配線パターンや電極パッド等には後段のリフロー工程で部品Ｐの端子に接合するための半田ペーストが付着されている。なお、基板Ｗは部品Ｐが搭載可能なものであればよく、形状や種類は特に限定されない。また、部品ＰとしてＩＣチップを例示して説明するが、基板Ｗに搭載される部品であれば、特に電子部品に限られない。
【００１８】
実装装置１には、Ｘ軸方向に基板Ｗを搬送する基板搬送部１０が配設されている。基板搬送部１０は、基板Ｗを搬送する一対のコンベアベルト１１と各コンベアベルト１１に沿って基板Ｗの搬送をガイドする一対のガイドレール１２とによって搬送路を形成している。コンベアベルト１１は、Ｘ軸方向の一端側から部品搭載前の基板Ｗを実装ヘッド４０の下方に搬入して位置決めし、部品搭載後の基板ＷをＸ軸方向の他端側に搬出している。一対のガイドレール１２の上部は内向きに屈曲している（図２参照）。昇降機構（不図示）により、この屈曲部分に向けて、基板Ｗと一対のコンベアベルト１１が上昇して、基板Ｗが位置決めされる。
【００１９】
フィーダ２０にはテープリール２１が着脱自在に装着され、テープリール２１には多数の部品Ｐをパッケージングしたキャリアテープが巻回されている。フィーダ２０は、装置内のスプロケットホイールの回転によって、実装ヘッド４０にピックアップされる受け渡し位置に向けて順番に部品Ｐを繰り出している。実装ヘッド４０の受け渡し位置では、キャリアテープから表面のカバーテープが剥離され、キャリアテープのポケット内の部品Ｐが外部に露出される。なお、本実施の形態では、フィーダとしてテープフィーダを例示したが、ボールフィーダ等の他のフィーダで構成されていてもよい。
【００２０】
基台上には、一対の実装ヘッド４０をＸ軸方向及びＹ軸方向に水平移動させる移動機構３０が設けられている。移動機構３０は、Ｙ軸方向に延びる一対のＹ軸駆動部３１と、Ｘ軸方向に延びる一対のＸ軸駆動部３２とを有している。一対のＹ軸駆動部３１は基台の四隅に立設した支持部（不図示）に支持されており、一対のＸ軸駆動部３２は一対のＹ軸駆動部３１にＹ軸方向に移動可能に設置されている。また、各Ｘ軸駆動部３２上には実装ヘッド４０がＸ軸方向に移動可能に設置され、Ｘ軸駆動部３２とＹ軸駆動部３１とによって実装ヘッド４０が水平移動されてフィーダ２０からピックアップした部品が基板Ｗの所望の位置に実装される。
【００２１】
図２に示すように、実装ヘッド４０は、Ｘ軸駆動部３２（図１参照）に支持されたヘッド本体４１に複数のノズル４２（本実施の形態では１つのみ図示）を設けて構成されている。各ノズル４２は、ノズル駆動部４３を介してヘッド本体４１に支持されており、ノズル駆動部４３によってＺ軸方向に上下動すると共にノズル４２をＺ軸回りに回転する。各ノズル４２は吸引源（不図示）に接続されており、吸引源からの吸引力によって部品Ｐを吸着保持する。ノズル４２にはコイルバネが設けられており、コイルバネを収縮させながらノズル４２に吸着された部品Ｐを基板Ｗに搭載している。
【００２２】
ヘッド本体４１には、基板Ｗからの高さを検出する高さセンサ（不図示）や、ノズル４２で吸着した部品Ｐの形状を認識する認識部４５が設けられている。高さセンサでは、基板Ｗからノズル４２までの距離が検出され、検出結果に基づいてノズル４２の上下方向の移動量が制御される。認識部４５では、横一列に並んだ発光部４６と受光部４７とを水平方向で対向させ、発光部４６からの光が部品で遮光された遮光幅の変化から部品形状が認識される。なお、認識部４５は、発光部から受光部に向かって発光されたＬＥＤ光の遮光幅から部品形状を認識してもよいし、発光部から受光部に向かって発光されたレーザ光の遮光幅から部品形状を認識してもよい。
【００２３】
ヘッド本体４１には、基板Ｗ上のＢＯＣマークを真上から撮像する基板撮像部（不図示）と、ノズル４２による部品Ｐの搭載動作を斜め上方から撮像する部品撮像部（撮像装置）４８とが設けられている。基板撮像部では、ＢＯＣマークの撮像画像に基づいて基板Ｗの位置、反り等が認識され、これらの認識結果に基づいて基板Ｗに対する部品Ｐの搭載位置が補正される。部品撮像部４８では、フィーダ２０に対する部品Ｐの吸着前後が撮像される他、基板Ｗの載置面に対する部品Ｐの搭載前後が撮像される。これら撮像画像によって、ノズル４２による部品Ｐの吸着有無、基板Ｗにおける部品Ｐの搭載有無が検査される。
【００２４】
また、実装装置１には、装置各部を統括制御する制御装置５０と、ノズル４２による部品Ｐの吸着有無や基板Ｗに対する部品Ｐの搭載有無を検査する検査装置６０とが設けられている。これらの装置の各部は、各種処理を実行するプロセッサやメモリ等により構成されている。メモリは、用途に応じてＲＯＭ(Read  Only  Memory)、ＲＡＭ（Random  Access  Memory）等の一つ又は複数の記憶媒体で構成されており、実装装置１の制御プログラムや、検査装置６０に検査方法を実行させるための検査プログラム等、部品Ｐの搭載有無の判定閾値等の各種パラメータが記憶されている。
【００２５】
このように構成された実装装置１では、実装ヘッド４０をフィーダ２０（図１参照）まで移動させて、フィーダ２０から供給された部品Ｐをノズル４２でピックアップして、基板Ｗの所望の搭載面に部品Ｐを搭載している。このノズル４２による部品Ｐの搭載動作では、基板Ｗに対する部品Ｐの搭載が失敗して、基板Ｗ上に部品Ｐが搭載されていない場合がある。このため、基板Ｗの搭載面に対する部品Ｐの搭載前後がモノクロ画像で撮像され、検査装置６０によって部品Ｐの搭載前画像と搭載後画像から基板Ｗ上の部品Ｐの搭載有無が検査されている。
【００２６】
部品Ｐの搭載有無を検査する際には、搭載前画像と搭載後画像から差分画像が生成され、差分画像内の輝度の評価値（二乗和）に基づいて部品Ｐの搭載有無が検査される。しかしながら、実装ヘッド４０やノズル４２を動かしながら、部品撮像部４８で搭載前画像及び搭載後画像を撮像してタクトを上げているため、撮像時に部品撮像部４８に僅かなブレが生じる。さらに、実装装置１は僅かに振動しているため、撮像時に基板搬送部１０上の基板Ｗも僅かなブレが生じる。このため、部品Ｐが載せられていない状態であっても、搭載前画像と搭載後画像にズレが生じる場合がある。
【００２７】
搭載前後の画像で輝度のコントラストが明確な箇所にズレが生じていると、差分画像の中で部品Ｐ以外の箇所の影響が大きくなる。このため、搭載後画像に部品Ｐが搭載されていないにも関わらず、差分（輝度の変化）が大きくなって部品Ｐが搭載されていると誤判定されるおそれがある。特に、小型の部品Ｐの場合には、輝度差を生じさせる端子の面積が小さく、部品Ｐによる差分よりもシルク等の部品以外のノイズ成分の影響が大きくなる。したがって、搭載後画像に部品Ｐが搭載されていないにも関わらず、差分が大きくなって部品Ｐが搭載されていると誤判定されるおそれがある。
【００２８】
例えば、図３に示すように、搭載動作前に撮像した搭載前画像だけでなく、搭載動作後に撮像した搭載後画像にも部品Ｐが表示されておらず、基板Ｗに対して部品Ｐの搭載ミスが生じている。しかしながら、部品Ｐの搭載ミスが生じた場合であっても、部品撮像部４８や基板Ｗのブレによって差分画像に基板Ｗ上のシルク７１がノイズ成分として残る。このノイズ成分を含む差分画像に基づいて部品Ｐの搭載有無が検査されるため、実際には部品Ｐの搭載ミスが生じているにも関わらず、ノイズ成分によって搭載後画像に部品Ｐが搭載されていると誤判定されるおそれがある。
【００２９】
そこで、本実施の形態の検査装置６０では、部品Ｐ以外のノイズ成分が部品サイズと明らかに異なるサイズで差分画像に残ることに着目し、差分画像に残った差分領域の領域サイズと部品サイズを比較してノイズ成分か否かを判別している。これにより、部品Ｐ以外のノイズ成分が差分領域７５として差分画像に残る場合であっても、ノイズ成分を差分画像から除去することで、差分画像に対するノイズ成分の影響を無くして、基板Ｗに対する部品Ｐの搭載有無を高精度に検査することが可能になっている。
【００３０】
以下、部品の搭載有無の検査処理について説明する。図４は、本実施の形態の検査装置のブロック図である。図５は、本実施の形態の検査処理の一例を示すフローチャートである。図６は、本実施の形態の部品の搭載前画像及び搭載後画像の一例を示す図である。図７は、本実施の形態の差分画像の一例を示す図である。図８は、本実施の形態の判定処理の一例を示す図である。図９は、本実施の形態の差分領域の抽出処理の一例を示す図である。図１０は、本実施の形態のノイズ成分の判別処理の一例を示す図である。図１１は、本実施の形態のノイズ成分の除去処理の一例を示す図である。
【００３１】
図４を参照して、検査装置６０の制御構成について簡単に説明する。検査装置６０は、部品撮像部４８に接続されており、部品撮像部４８から基板Ｗの載置面に対する部品Ｐの搭載前画像及び搭載後画像を取得して部品Ｐの搭載有無を検査している。この場合、先ず搭載前画像と搭載後画像の差分画像からノイズ成分を除去せずに初期検査が実施される。次に、初期検査で部品Ｐの有無が判別できない場合に、差分画像からノイズ成分を除去して再検査が実施される。検査装置６０には、マッチング部６１、差分画像生成部６２、差分領域抽出部６３、ノイズ判別部６４、ノイズ除去部６５、算出部６６、判定部６７が設けられている。
【００３２】
マッチング部６１では、搭載前画像と搭載後画像の位置合わせのマッチング処理が実施される。差分画像生成部６２では、搭載前画像と搭載後画像から差分画像の生成処理が実施される。差分領域抽出部６３では、差分画像から差分画素を内包する差分領域の抽出処理が実施される。ノイズ判別部６４では、差分領域の領域サイズと部品サイズからノイズ成分の判別処理が実施される。ノイズ除去部６５では、ノイズ成分と判別された差分領域を差分画像から除去する除去処理が実施される。算出部６６では、差分画像の各画素の差分二乗和の算出処理が実施される。
【００３３】
判定部６７では、初期検査時及び再検査時に、差分二乗和の算出結果と判定閾値とを比較することで部品の搭載有無の判定処理が実施される。判定閾値として上限閾値及び下限閾値が設定されており、算出結果が上限閾値以上の場合には基板Ｗに部品Ｐが搭載されていると判定され、算出結果が下限閾値以下の場合には基板Ｗに部品Ｐが搭載されていないと判定される。なお、上限閾値及び下限閾値は、統計データ等から実験的、経験的又は理論的に求められた値が使用される。また、図４のブロック図には、検査装置６０が簡略化して記載されているが、検査装置６０が通常備える構成については備えているものとする。
【００３４】
続いて、図５から図１０を参照して、検査装置の検査処理の流れについて説明する。なお、図５のフローチャートの説明では、図４の各ブロックに付された符号を適宜使用して説明する。図５に示すように、検査装置６０には、部品撮像部４８から搭載前画像及び搭載後画像が入力される（ステップＳ０１）。搭載前画像は、部品Ｐの搭載前に部品撮像部４８で斜め上方から基板Ｗを撮像したモノクロ画像である（図６Ａ参照）。搭載前画像には、基板Ｗに印刷されたシルク７１や、シルク７１の内側に電極パッド７２が配設された載置面が映されている。
【００３５】
搭載後画像は、部品Ｐの搭載後に部品撮像部４８で斜め上方から基板Ｗを撮像したモノクロ画像である（図６Ｂ参照）。搭載後画像には、基板Ｗの載置面７３上に搭載された部品Ｐが映されている。また、部品Ｐの搭載ミスが生じた場合には、基板Ｗに部品Ｐが搭載されていないため、搭載後画像が搭載前画像と同じに見えるが、部品撮像部４８や被写体のブレによって搭載後画像には僅かなズレが生じている（図６Ｃ参照）。なお、モノクロ画像とは、無彩色又は有彩色の単色の濃淡で表された画像であり、グレースケール等を含むものである。
【００３６】
次に、マッチング部６１にてマッチング処理が実施される（ステップＳ０２）。マッチング処理では、部品Ｐの搭載時に生じる基板Ｗの反りや撓みを考慮して、搭載前画像と搭載後画像が位置合わせされる。次に、差分画像生成部６２にて差分画像の生成処理が実施される（ステップＳ０３）。差分画像の生成処理ではマッチング後の搭載前画像と搭載後画像の特定領域６９（図６Ａ及び図６Ｃ参照）の輝度差分の絶対値を取って差分画像が生成される（図７参照）。搭載後画像に部品Ｐが搭載れていない場合であっても、差分画像にはシルク７１のブレが差分領域７５として現れている。
【００３７】
次に、算出部６６にて差分画像に対して算出処理が実施される（ステップＳ０４）。算出処理では、算出部６６によって撮像画像の各画素の輝度の二乗の合計値が初期検査時の評価値Ｖとして算出される。次に、判定部６７にて初期検査として差分画像に基づいて部品Ｐの有無を判定する判定処理が実施される。判定処理では、差分画像の評価値Ｖと上限閾値ＴＨとが比較され、評価値Ｖが上限閾値ＴＨ以上か否かが判定される（ステップＳ０５）。評価値Ｖが上限閾値ＴＨ以上の場合（ステップＳ０５でＹｅｓ）には、「部品有り」と判定される（図８参照）。
【００３８】
一方で、評価値Ｖが上限閾値ＴＨよりも小さい場合には（ステップＳ０５でＮｏ）、評価値Ｖが下限閾値ＴＬ以下か否かが判定される（ステップＳ０６）。評価値Ｖが下限閾値ＴＬ以下の場合（ステップＳ０６でＹｅｓ）には、「部品無し」と判定される（図８参照）。次に、評価値Ｖが下限閾値ＴＬよりも大きい場合（ステップＳ０６でＮｏ）には、評価値Ｖが上限閾値ＴＨと下限閾値ＴＬの中間領域であるとして部品Ｐの有無を判定することができない（図８参照）。このため、部品Ｐ以外のノイズ成分の輝度が評価値Ｖに影響しないように、差分画像に対してノイズ成分の除去処理が実施される。
【００３９】
この場合、既にノイズ成分が除去されているか否かが判定される（ステップＳ０７）。ノイズ成分が除去されている場合には（ステップＳ０７でＹｅｓ）、エラーと判定される。ノイズ成分が除去されていない場合には（ステップＳ０７でＮｏ）、差分領域抽出部６３にて差分画像に対して差分領域７５の抽出処理が実施される（ステップＳ０８）。差分領域７５の抽出処理では、差分画像に対して二値化処理が実施されて、さらに二値化画像に対してラベリング処理が実施される。これにより、差分画像内で差分画素が求められ、差分画素が連結した領域が差分領域７５として抽出される（図９Ａ参照）。
【００４０】
このとき、差分画像に複数の差分領域７５が含まれている場合には、複数の差分領域７５の間隔が所定画素数内（２画素内）であれば同じ差分領域７５として抽出され（図９Ｂ参照）、複数の差分領域７５の間隔が所定画素数よりも大きければ別々の差分領域７５として抽出される（図９Ｂ参照）。例えば、差分画像に対して膨張処理及び収縮処理が実施されて、複数の差分領域７５の間隔が所定画素数内であれば複数の差分領域７５が結合されて１つの差分領域７５として抽出される。このようにして、差分画像から複数の差分画素を内包する塊毎に差分領域７５が抽出される。
【００４１】
次に、ノイズ判別部６４にてノイズ成分の判別処理が実施される（ステップＳ０９）。ノイズ成分の判別処理では、部品Ｐによる差分領域７５が部品サイズよりも大きくなることがないため、差分領域７５の領域サイズと部品サイズが比較されて、部品サイズよりも大きな差分領域７５がノイズ成分と判別される。例えば、差分領域７５の縦寸法及び横寸法が求められ、差分領域７５と部品Ｐの縦寸法同士、横寸法同士がそれぞれ比較される。そして、部品Ｐの縦寸法Ｗ１よりも差分領域７５の縦寸法Ｗ２が大きい、又は部品Ｐの横寸法Ｌ１よりも差分領域７５の横寸法Ｌ２が大きければノイズ成分と判別される（図１０Ａ参照）。
【００４２】
このとき、差分領域７５が複数に分かれていると、部品Ｐ以外の差分領域７５の領域サイズが部品サイズ以下になる場合がある（図１０Ｂの２点鎖線参照）。しかしながら、領域同士が近い場合には１つの差分領域７５として抽出されるため、差分領域７５が部品Ｐによる差分であるのか、部品Ｐ以外のノイズ成分であるのかを精度よく判別できる（図１０Ｂの実線参照）。なお、部品サイズは、平面視における部品Ｐ全体のサイズでもよいし、部品Ｐのうち輝度差を生じさせる部分のサイズでもよい。輝度差を生じさせる部分としては、部品Ｐの端子やボディに印字されたマーク等でもよい。
【００４３】
なお、差分領域７５の大きさからノイズ成分であることが明らかなものについては、上記した判別処理を省くようにしてもよい。この場合、差分領域７５の領域サイズと部品サイズを比較する前に、差分領域７５の面積が許容範囲か否かを判別する。そして、差分領域７５の面積が許容範囲外の場合には、縦寸法及び横寸法を比較することなく、差分領域７５をノイズ成分と判別する。これにより、部品サイズに対して差分領域７５が極端に大きなものや極端に小さなものについては、差分領域７５をノイズ成分と見做して判別処理の負荷を軽減することができる。
【００４４】
次に、ノイズ除去部６５にてノイズ成分の除去処理が実施される（ステップＳ１０）。ノイズ成分の除去処理では、ノイズ成分と判別された差分領域７５が差分画像から除去される（図１１参照）。そして、ステップＳ０４に戻って部品Ｐの有無の再検査が開始され、ノイズ成分を除去した差分画像に対して、上記と同様に算出処理及び判定処理が実施される（ステップＳ０４からステップＳ０７）。すなわち、ノイズ成分を除去した差分画像の各画素の輝度の二乗和によって評価値Ｖが算出され、評価値Ｖと上限閾値ＴＨ及び下限閾値ＴＬとが比較されて部品Ｐの有無が判定される。
【００４５】
以上のように、本実施の形態の検査装置６０では、差分領域７５の領域サイズが部品サイズと比較されることで、差分画像に含まれる差分領域７５が部品Ｐによる差分か部品Ｐ以外のノイズ成分かが判別される。そして、差分画像からノイズ成分を除くことで、部品Ｐによる差分領域だけが差分画像に残される。よって、部品Ｐ以外のノイズ成分の影響を受けることなく、基板Ｗに対する部品Ｐの搭載有無を高精度に検査することができる。
【００４６】
なお、本実施の形態において、撮像装置としての部品撮像部が斜め上方から基板を撮像する構成にしたが、この構成に限定されない。撮像装置は搭載前画像と搭載後画像を比較可能に撮像できればよく、例えば、真上から基板を撮像してもよい。また上述した、ヘッド本体に設けた基板Ｗ上のＢＯＣマークを真上から撮像する基板撮像部を用いて撮像してもよい。
【００４７】
また、本実施の形態において、差分画像生成部が搭載前画像の特定領域と搭載後画像の特定領域から差分画像を生成する構成にしたが、この構成に限定されない。差分画像生成部は、搭載前画像と搭載後画像から差分画像を生成する構成であればよく、例えば、搭載前画像全体と搭載後画像全体から差分画像を生成してもよい。
【００４８】
また、本実施の形態において、判定部は、差分画像の各画素の輝度の二乗和を評価値として、輝度の二乗和に基づいて部品の有無を判定する構成にしたが、この構成に限定されない。判定部は、差分画像に基づいて部品の有無を判定する構成であればよい。例えば、判定部は、差分画像の各画素の合計を評価値として判定処理に用いてもよいし、差分画像の各画素の輝度の三乗和を評価値として判定処理に用いてもよい。
【００４９】
また、本実施の形態において、基板は、プリント基板に限定されず、治具基板上に載せられたフレキシブル基板であってもよい。
【００５０】
また、本実施の形態において、検査装置は、初期検査後の再検査として、ノイズ成分を除去した差分画像に基づいて部品の搭載有無を判定する構成にしたが、この構成に限定されない。検査装置は、初期検査時にノイズ成分を除去した差分画像に基づいて部品の搭載有無を判定してもよい。すなわち、検査装置は、検査プログラムのリトライ処理を実施しなくてもよい。
【００５１】
また、本実施の形態において、制御プログラム及び検査プログラムは記録媒体に記憶されてもよい。記録媒体は、特に限定されないが、光ディスク、光磁気ディスク、フラッシュメモリ等の非一過性の記録媒体であってもよい。
【００５２】
また、本実施の形態において、実装装置に検査装置が備えられる構成について説明したが、この構成に限定されない。検査装置は、実装装置とは別体の検査専用の装置でもよい。
【００５３】
また、本発明の実施の形態及び変形例を説明したが、本発明の他の実施の形態として、上記実施の形態及び変形例を全体的又は部分的に組み合わせたものでもよい。
【００５４】
また、本発明の実施の形態は上記の実施の形態及び変形例に限定されるものではなく、本発明の技術的思想の趣旨を逸脱しない範囲において様々に変更、置換、変形されてもよい。さらには、技術の進歩又は派生する別技術によって、本発明の技術的思想を別の仕方で実現することができれば、その方法を用いて実施されてもよい。したがって、特許請求の範囲は、本発明の技術的思想の範囲内に含まれ得る全ての実施態様をカバーしている。
【００５５】
また、本発明の実施の形態では、本発明を実装装置に適用した構成について説明したが、部品の搭載有無の検査が必要な他の装置に適用することが可能である。
【００５６】
さらに、上記実施形態では、基板の搭載面に対する部品の搭載前後を撮像した部品の搭載前画像と搭載後画像から部品の搭載有無を検査する検査装置であって、搭載前画像と搭載後画像から差分画像を生成する差分画像生成部と、差分画像から差分画素を内包する差分領域を抽出する差分領域抽出部と、差分領域の領域サイズと部品サイズからノイズ成分を判別するノイズ判別部と、ノイズ成分と判別された差分領域を差分画像から除去するノイズ除去部と、ノイズ成分を除去した差分画像に基づいて部品の有無を判定する判定部とを備えたことを特徴とする。この構成によれば、差分領域の領域サイズが部品サイズと比較されることで、差分画像に含まれる差分領域が部品による差分か部品以外のノイズ成分かが判別される。そして、差分画像からノイズ成分を除くことで、部品による差分領域だけが差分画像に残される。よって、部品以外のノイズ成分の影響を受けることなく、基板に対する部品の搭載有無を高精度に検査することができる。
【産業上の利用可能性】
【００５７】
以上説明したように、本発明は、簡易な処理により、基板に対する部品の搭載有無を高精度に検査することができるという効果を有し、特に、基板に対する部品の搭載有無を検査する検査装置、実装装置、検査方法に有用である。
【符号の説明】
【００５８】
１  実装装置
４０  実装ヘッド
４８  部品撮像部（撮像装置）
６０  検査装置
６２  差分画像生成部
６３  差分領域抽出部
６４  ノイズ判別部
６５  ノイズ除去部
６７  判定部
７３  載置面
７５  差分領域
Ｐ  部品
Ｗ  基板
【図１】
2018207023.tif 000003
【図２】
2018207023.tif 000004
【図３】
2018207023.tif 000005
【図４】
2018207023.tif 000006
【図５】
2018207023.tif 000007
【図６】
2018207023.tif 000008
【図７】
2018207023.tif 000009
【図８】
2018207023.tif 000010
【図９】
2018207023.tif 000011
【図１０】
2018207023.tif 000012
【図１１】
2018207023.tif 000013